(57)【特許請求の範囲】
【請求項１】
ホーン型の開口を有する円形導波管内に、同円形導波管の軸芯にて直交するプローブをパターンにより形成すると共に、同軸芯に孔を設けた基板を配置する一方、同基板の略λ／４後方に配置される反射面に同円形導波管の軸方向へ立設される導体ポストを設け、同導体ポストを同基板の孔に挿通してなる直線偏波用フィードホンにおいて、前記基板の孔を前記導体ポストより小さく形成する一方、前記導体ポストを同基板の裏面に当接すると共に、その先端にネジ孔を設け、前記基板の孔から挿通したネジを同ネジ孔に螺着して同基板を導体ポストに固定し、前記プローブと前記導体ポストとの位置関係を安定化するようにしたことを特徴とする直線偏波用フィードホン。
【請求項２】
前記基板の孔の前記基板両面の周縁部に前記導体ポストと同径のランドを設けると共に、同ランド間を接続するスルーホールメッキを施してなることを特徴とする請求項１記載の直線偏波用フィードホン。
【請求項３】
前記導体ポストの先端に前記基板の孔に挿通するボスを設け、同ボスにネジ孔を形成したことを特徴とする請求項１または請求項２記載の直線偏波用フィードホン。
【請求項４】
前記ボスが、前記基板の厚みより若干短く形成されてなることを特徴とする請求項３記載の直線偏波用フィードホン。
【発明の詳細な説明】
【０００１】
【発明の属する技術分野】
本発明は、直線偏波用フィードホンに係わり、とくに、軸方向の寸法を短くするとともに、良好な交差偏波特性を安定して得られるものに関する。
【０００２】
【従来の技術】
従来、直線偏波用フィードホンは例えば図３に示すように、ホーン型の開口を有する円形導波管内に、直交する２本のプローブ３１，３２をλ／２離して配置し、その間にショート板４０を設けると共に、λ／４後方に反射面４１を設けることにより垂直偏波と水平偏波をそれぞれ受信するようにしたものが実用化されていた。しかし、この構成では、交差偏波特性は良好であるが、軸方向の寸法が長くなるという問題があった。そこで近年、図４に示すように、ホーン型の開口１ａを有する円形導波管１ｂ，２ａ内に、同円形導波管１ｂ，２ａの軸芯にて直交するプローブ３ａ，３ｂをパターンにより形成すると共に、同軸芯に孔３ｃを設けた基板３を配置する一方、同基板３の略λ／４後方に配置される反射面２ｂに同円形導波管１ｂ，２ａの軸方向へ立設される導体ポスト４を設け、同導体ポスト４を同基板３の孔３ｃに挿通してなる直線偏波用フィードホンが実用化されている。導体ポスト４がない場合は円形導波管内に入力される電界が、図５−（Ａ）に示すようにプローブ３ａで受信する偏波の電界がプローブ３ｂに多く交差するため、交差偏波特性が良好でないが、導体ポスト４を設けることにより、図５−（Ｂ）に示すように、前記導体ポストに曲げられ、プローブ３ｂに交差する電界が少なくなり、交差偏波特性が良好となるばかりか、軸方向の寸法を短くできるという利点がある。しかし、この構成では、前記基板と導体ポストの位置が規制されておらず、導体ポストと各プローブとの位置関係が安定せず、従って、交差偏波特性も変化してしまうという問題があった。
【０００３】
【発明が解決しようとする課題】
本発明は以上述べた問題点を解決し、プローブと導体ポストの位置関係が安定化させることにより、軸方向の寸法が短く、安定して良好な交差偏波特性を得ることのできる直線偏波用フィードホンを提供することを目的としている。
【０００４】
【課題を解決するための手段】
本発明は上述の課題を解決するため、ホーン型の開口を有する円形導波管内に、同円形導波管の軸芯にて直交するプローブをパターンにより形成すると共に、同軸芯に孔を設けた基板を配置する一方、同基板の略λ／４後方に配置される反射面に同円形導波管の軸方向へ立設される導体ポストを設け、同導体ポストを同基板の孔に挿通してなる直線偏波用フィードホンにおいて、前記基板の孔を前記導体ポストより小さく形成する一方、前記導体ポストを同基板の裏面に当接すると共に、その先端にネジ孔を設け、前記基板の孔から挿通したネジを同ネジ孔に螺着して同基板を導体ポストに固定し、前記プローブと前記導体ポストとの位置関係を安定化するようにしたことを特徴とする直線偏波用フィードホンとしている。
【０００５】
前記基板の孔の前記基板両面の周縁部に前記導体ポストと同径のランドを設けると共に、同ランド間を接続するスルーホールメッキを施してなる直線偏波用フィードホンとしている。
【０００６】
前記導体ポストの先端に前記基板の孔に挿通するボスを設け、同ボスにネジ孔を形成した直線偏波用フィードホンとしている。
【０００７】
前記ボスが、前記基板の厚みより若干短く形成されてなる直線偏波用フィードホンとしている。
【０００８】
【０００９】
【００１０】
【発明の実施の形態】
以上のように、本発明の直線偏波用フィードホンにおいては、基板の孔を前記導体ポストより小さく形成する一方、前記導体ポストを同基板の裏面に当接すると共に、その先端にネジ孔を設け、前記基板の孔から挿通したネジを同ネジ孔に螺着して同基板を導体ポストに固定するようにしたので、プローブと導体ポストの位置関係が安定化し、安定して良好な交差偏波特性を得ることができる。また、スルーホールにより導体ポストとネジを確実に接続することができるので、安定した交差偏波特性を得ることができる。
【００１１】
【実施例】
以下、図面に基づいて本発明による直線偏波用フィードホンを詳細に説明する。図１は本発明による直線偏波用フィードホンの一実施例を示す要部側断面図である。図において、１は金属等の導電材で形成されたシャーシで、一側にホーン型の開口１ａを有する第１の円形導波管部１ｂを形成し、背面に基板収容部１ｃを設け、下部にコネクタ取付部１ｄを設けている。２は、金属等の導電材で形成されたシールドカバーで、一側に前記第１の円形導波管部１ｂに連通すると共に、反射面２ｂを有する第２の円形導波管部２ａが形成されている。この反射面２ｂには一体に形成された導体ポスト４が第２の円形導波管部２ａの軸芯に立設されている。３は前記基板収容部１ｃに固定される基板で、前記第１の円形導波管部１ｂに入力される直線偏波（水平偏波または垂直偏波）をそれぞれ受信する第１の円形導波管部１ｂの軸芯上でその延長線が直交する２つのプローブ３ａ、３ｂをパターンにより形成している。また、この基板の前記軸芯部には前記導体ポスト２ｂの径より小さな孔３ｃが形成されている。４は前記導体ポストで、前記基板３の裏面に当接する長さにしており、その先端にはネジ孔４ａが設けられている。５は前記基板の孔３ｃに挿通して前記ネジ孔４ａに螺着されるネジである。６は前記コネクタ取付部に取り付けられ、前記基板と接続される出力コネクタである。
【００１２】
図２は本発明による直線偏波用フィードホンの他の実施例を示す要部側断面図である。図２−（Ａ）に示すように、前記基板３の両面には孔３ｃに対応し、前記導体ポスト２ｂの径と略同じ大きさのランド３ｄ、３ｅが形成され、同両ランド３ｄ、３ｅ間をスルーホールメッキ３ｆにより接続している。また、図２−（Ｂ）に示すように、前記導体ポスト２ｂの先端に前記孔３ｃに挿通する前記基板の厚みより若干短いボス４ｂを設け基板の位置決めができるようにし、同ボス４ｂの先端に前記ネジ孔４ａを形成している。また、同図に示すように、前記ネジ５の頭５ａを球状に形成して電界の集中が大きくなるようにすると、より強く電界を導体ポストに引きつけることができ、より良好な交差偏波特性を得ることができる。
【００１３】
【発明の効果】
以上説明したように、本発明による直線偏波用フィードホンによれば、基板の孔を前記導体ポストより小さく形成する一方、前記導体ポストを同基板の裏面に当接すると共に、その先端にネジ孔を設け、前記基板の孔から挿通したネジを同ネジ孔に螺着して同基板を導体ポストに固定するようにしたので、プローブと導体ポストの位置関係が安定化し、安定して良好な交差偏波特性を得ることができる。また、スルーホールにより導体ポストとネジを確実に接続することができるので、より安定した交差偏波特性を得ることができる。また、導体ポストの先端に基板の孔に挿通されるボスを設けたので、基板の導体ポストに対して位置決めされ、より安定な位置関係を得ることができ、より安定した良好な交差偏波特性を得ることができる。
【図面の簡単な説明】
【図１】本発明による直線偏波用フィードホンの一実施例を示す要部側断面図である。
【図２】本発明による直線偏波用フィードホンの他の実施例を示す要部側断面図である。
【図３】従来の直線偏波用フィードホンを示す要部断面図である。
【図４】従来の直線偏波用フィードホンを示す要部断面図である。
【図５】本発明に係わる直線偏波用フィードホンの動作を説明するための説明図である。
【符号の説明】
１ シャーシ１ａ ホーン型の開口１ｂ 円形導波管１ｃ 基板収容部１ｄコネクタ取付部２ シールドカバー２ａ 第２の円形導波管部２ｂ反射面３ 基板３ａ、３ｂ プローブ３ｃ孔３ｄ、３ｅ ランド３ｆ スルーホールメッキ４導体ポスト４ａ ネジ孔４ｂ ボス５ネジ５ａ ネジ頭
【図１】
0003918321.tif 000002
【図２】
0003918321.tif 000003
【図３】
0003918321.tif 000004
【図４】
0003918321.tif 000005
【図５】
0003918321.tif 000006